(57)【特許請求の範囲】
【請求項１】
こまの心棒の上下端に小車を設けたこまを回す装置で、台座の所定の箇所に、こまの発車台を設け、こまの発車台の先に、横縦変換ガイドレールを上下左右いずれかの方向に曲げて形成した曲進横縦変換ガイドレールを設けたことを特徴とするこまを回す装置。
【請求項２】
前記曲進横縦変換ガイドレールの先に、こまの回転台を設けたことを特徴とする請求項１に記載のこまを回す装置。
【請求項３】
こまの心棒を磁性体で設け、こまの回転台に接して吊り具を設け、吊り具を介して、こまの回転台の上方に、下げ磁性体を設けたことを特徴とする請求項２に記載のこまを回す装置。
【発明の詳細な説明】
【０００１】
【発明が属する技術分野】
本発明は、こまの心棒の上下端に、小車を設けたこまを発車させる装置に関するものである。
【０００２】
【従来の技術】
従来、こまの心棒の上下端に小車を設けたこまを発車させる装置は、人形の顔や玩具の建物、玩具の動物などにこまが通る横縦変換ガイドレールを設けたものを、手動で発車させるものやバネで発車させるものなどがあった。
【０００３】
【発明が解決しようとする課題】
これは次のような欠点があった。従来、この種のこまを発車させる装置は、発車されたこまが、発車装置の先方に飛び出して、あちこち動き回り、その後何かに当たってこまが倒れることが多かった。これを防止するため、、こまの発車装置の先にこまの回転台を設け、こまを発車する必要があった。また、こまが飛び出す方向が、発車装置の先方だったため、こまが発車装置のすぐ先で回るとき、発車装置が邪魔になって、回転するこまが見え難かった。別に用意したこまの回転台を発車装置の先に置いて、こまを発車させるときも同様で、こまを発車する装置が邪魔になった。
【０００４】
【課題を解決するための手段】
上記欠点を除くため本発明は、こま（１）の心棒（２）を磁性体で設け、台座（３）の上の所定の箇所に針金の発車台（４）を設け、針金の発車台の先に、横方向にカーブして曲がる横縦変換ガイドレールを形成して、針金の曲進横縦変換ガイドレール（５）として設け、針金の曲進横縦変換ガイドレールの先に、こまの回転台（６）を設け、こまの回転台の外側の所定の箇所より、こまの回転台の上方に向かう吊り棒（８）を設け、吊り棒の上部に高さ調節具（９）を設け、高さ調節具より紐（１０）で下げ磁性体（１１）を吊るして設け、針金の発車台（４）の下に緩衝板（１２）を設ける。本発明は以上の構成よりなるこまを発車させる装置である。
【０００５】
【発明の実施の形態】
以下、本発明の実施の形態について説明する。図１に示す実施例では、台座（３）の所定の箇所に、針金の発車台（４）を設け、針金の発車台の先を延ばして、横方向にカーブして曲がる針金の曲進横縦変換ガイドレール（５）を設け、針金の曲進横縦変換ガイドレールの先にこまの回転台（６）を設け、こまの回転台の外側の所定の箇所より、こまの回転台の上方に向かう吊り棒（８）を設け、吊り棒の上部に高さ調節具（９）を設け、高さ調節具より紐（１０）で下げ磁性体（１１）を吊るし、針金の発車台（４）の下に緩衝板（１２）を設け、発車台、曲進横縦変換ガイドレール、こまの回転台、下げ磁性体等を一体化して構成したものである。
本発明は、以上のような構成で、これを使用するときは、図１に示すように、まずこま（１）をこまの回転台（６）の上で立てて、こまがこまの上方の下げ磁性体（１１）の磁力で、下げ磁性体に飛びつく寸前になるよう、こまの小車の突起（１４）と下げ磁性体（１１）の間隔を、下げ磁性体の上方の高さ調節具（９）を回して調節する。次に、こま（１）を横向きにして針金の発車台（４）の上にセットして、指（１５）をこま（１）の上に当てて、一気に指を下に打ち下ろすと、こまは激しく回転しながら、発車台の先方に進み、針金の曲進横縦変換ガイドレール（５）を通過するが、こまが、針金の曲進横縦変換ガイドレール（５）を通過するとき、こまの向きが、横向きから縦向きに変換されており、こまはその後こまの回転台（６）に至り、下げ磁性体（１１）の下で激しく回転を続ける。こまはしばらく回転した後、立ったまま静止する。
【０００６】
【実施例】
図２に示す実施の形態では、台座（３）の所定の位置に板状の発車台（１６）を設け、板状の発車台の先に入口板（１７）を設け、入口板の先に弧を描いて曲がる筒状の曲進横縦変換ガイドレール（１８）を設け、筒状の曲進横縦変換ガイドレールの出口に出口板（１９）を設け、出口板の先にこまの回転台（６）を設け、こまの回転台の外側の所定の箇所より、こまの回転台の上方に向かう吊り棒（８）を設け、吊り棒の上部に高さ調節具（９）を設け、高さ調節具より紐（１０）で下げ磁性体（１１）を吊るしたものである。これも、発車台、曲進横縦変換ガイドレール、こまの回転台、下げ磁性体等を一体化して構成したものである。
【０００７】
図３に示す実施の形態では、台座D（２０）の上の後方部に箱（２１）を設け、箱の前面板（２２）の所定の箇所に、こまの入口（２３）と出口（２４）をそれぞれ設け、このこまの入口及び出口と、筒状の曲進横縦変換ガイドレールB（２７）の入口（２５）と出口（２６）をそれぞれ合致させて、箱の中に筒状の曲進横縦変換ガイドレールB（２７）を設け、前面板に設けたこまの入口（２３）の手前に板状の発車台C（２８）を設け、前面板に設けたこまの出口（２４）の手前にこまの回転台（２９）を設け、箱の上面を人形（４７）などを配置することが出来る上面台（３０）として設けたものである。
【０００８】
図４に示す実施の形態では、台座（３）の所定の箇所に、針金の発車台B（３１）を設け、発車台の先を延ばして、針金の直進横縦変換ガイドレール（３２）を設け、針金の直進横縦変換ガイドレールの先に方向変換当板（３３）を設け、方向変換当板の先に、こまの通路（３４）を設け、こまの通路の先にこまの回転台B（３５）を設け、こまの回転台Bの外側の所定の箇所に吊り棒（８）を設け、吊り棒の上部に高さ調節具（９）を設け、高さ調節具より紐（１０）で下げ磁性体（１１）を吊るし、針金の発車台B（３１）の下部に指受クッション（３６）を設け、こまの発車台、直進横縦変換ガイドレール、方向変換当板、こまの回転台、下げ磁性体等を一体化して設けたものである。
【０００９】
図５に示す実施の形態では、台座B（３７）の上の手前部分に、針金の発車台C（３８）を設け、発車台Cの先に針金を延ばして、横方向にカーブして曲がる針金の曲進横縦変換ガイドレールB（３９）を設けたものである。針金の発車台C（３８）にこまをセットして回すと、こまは針金の曲進横縦変換ガイドレールBの出口（４０）を飛び出して、その先方で回転する。針金の曲進横縦変換ガイドレールを設けたこまを発車させる装置の最もシンプルな構成である。
【００１０】
図６に示す実施の形態では、台座C（４１）の上の手前部分に板状の発車台B（４２）を設け、発車台Bの先に入口板B（４３）を設け、入口板Bの先に横にカーブして曲がる筒状の曲進横縦変換ガイドレールC（４４）を設け、筒状の曲進横縦変換ガイドレールCの出口に出口板B（４５）を設けたものである。筒状の曲進横縦変換ガイドレールを設けたこまを発車させる装置の最もシンプルな構成である。
【００１１】
図７に示す実施の形態では、こま（１）に設けた磁性体の心棒C（５６）を、球体の小車（１３）を貫通させて、球体の小車のそれぞれ外側に心棒の一部を突き出させて突起B（６４）を設けたものである。突起Bを設けることによりこまの回転がより安定する。
【００１２】
図８に示す実施の形態では、小車自体を磁性体で設け、小車自体に突起C（５９）を形成した小車B（５１）を設けたこまを示すものである。
【００１３】
図９に示す実施の形態では、こまの本体（４６）に角を設けたもので、角間の各面に賽の目や、数字、記号、その他の文字を記することが出来る。
【００１４】
図１０に示す実施の形態では、玩具の乗り物の基台（５８）の上の前部に、こまの発車台B（５３）を設け、こまの発車台の先に入口板C（５７）を設け、入口板の先に、筒状の直進横縦変換ガイドレール（５４）を設け、筒状の直進横縦変換ガイドレールの先に、出口板C（５２）を設け、出口板Cの先にこまの回転台C（５５）を設け、こまの回転台Cの上方に、出口板C（５２）や吊り具B（６２）を介して下げ磁性体（１１）を設けたものである。いろいろな玩具の乗り物に造形することが出来る。
【００１５】
図１１に示す実施の形態では、台座E（６５）にアーチ状の支柱（６６）を設け、支柱の中央部には、こまの回転台D（６７）を設け、支柱（６６）の上部中央には、高さ調節具C（６８）を設け、高さ調節具Cより、紐B（６９）を介して下げ磁性体B（７０）を吊り下げて設ける。台座E（６５）にこまの発車台C（７１）を設け、発車台Cの先に、曲進横縦変換ガイドレールC（７２）を、こまの回転台D（６７）の下の左右の支柱（６６）の間を通過させて、その先方を上方へ曲げて反転させて、こまの回転台D（６７）の後部位置に、この曲進横縦変換ガイドレールC（７２）の出口を設けたものである。発車したこまが、２階部分のこまの回転台で回るという意外性が興味を増すこまの発車装置である。
【００１６】
図１２〜図１６に示す実施の形態では、こまの心棒に歯車付小車（７３）を設け、台座F（７４）に小車ガイドボックス（７５）を左右対に設け、小車ガイドボックス（７５）の中に、ラック（７６）と心棒ガイド板（７７）を設け、台座F（７４）の後方に軸着して、左右の小車ガイドボックス（７５）のそれぞれ内側に、押し出しレバー（７８）を左右対に設け、押し出しレバー（７８）の手前にレバー前板（７９）を設け、押し出しレバー（７８）の中間にはバネ（８３）を係着させる軸（８０）を設け、バネ（８３）の下部をこの軸（８０）に係着させ、バネの上部をバネ係着具（８１）の天板（８２）の中央に係着する。歯車付小車（７３）の歯車部分をゴム輪で設け、小車ガイドボックス（７５）の中のラック（７６）部分をゴム帯で設けて構成してもよい。
これを使用するときは、当初、上方へ引き上げられている押し出しレバー（７８）を、一方の手の指でレバー前板（７９）に触れて下に押し下げる。次に、もう一方の手でこまを横向きにして、レバー前板（７９）の上からその先方の押し出しレバー（７８）の前部に、こまの心棒を当てて、先方へ押し出しながら、こまを小車ガイドボックス（７５）の中に押し込む。次に、レバー前板（７９）を押し下げている指を手前に引いて指を離すと、押し出しレバーが一気に上へ上昇し、こまは回転しながら上方へ押し出される。より高い位置のこまの回転台へこまを押し上げることが出来て、また、こまの回転をより高速にすることが出来るものである。
【００１７】
【発明の効果】
本発明は、上述のとおり構成されているので、次に記載する効果を奏する。従来、この種のこまを発車させる装置は、発車されたこまが、あちこち動き回り何かに当たって倒れることが多かった。これを防止するため、別に設けたこまの回転台を使用する必要があった。また、こまが回転するのを見る時、こまの発車装置のすぐ先でこまが回るとき、こまを発車させる装置が邪魔になって、回るこまが見え難かった。本発明は、この問題を解決するため、こまの発車台、横縦変換ガイドレール、こまの回転台等を一体化して設けたため、飛び出したこまがあちこち動き回ったりしなくなった。また、別に設けたこまの回転台を使用する必要も無くなった。また、曲進横縦変換ガイドレールを設けて、発車台の横方や上方でこまが回転するようにしたため、こまの回転を見る時、見るのをさえぎる物が無くなった。更に、こまの心棒を磁性体で設け、こまの回転台の上方に下げ磁性体を設けたため、こまの回転時間が長く、またこまの回転が終了した後もこまが立ったまま静止するため、縁起のよい置物とすることが出来た。
【図面の簡単な説明】
【図１】本発明の斜視図
【図２】本発明の他の実施例の斜視図
【図３】本発明の他の実施例の斜視図
【図４】本発明の他の実施例の斜視図
【図５】本発明の他の実施例の斜視図
【図６】本発明の他の実施例の斜視図
【図７】本発明で使用するこまの正面図
【図８】本発明で使用するこまの他の実施例の正面図
【図９】本発明で使用するこまの他の実施例の斜視図
【図１０】本発明の他の実施例の斜視図
【図１１】本発明の他の実施例の斜視図
【図１２】本発明の他の実施例の正面図
【図１３】図１２のA-A´断面図
【図１４】本発明の他の実施例の側面図
【図１５】本発明の他の実施例の平面図
【図１６】本発明で使用するこまの他の実施例の正面図
【符号の説明】
１    こま
２    こまの心棒
３    台座
４    針金の発車台
５    針金の曲進横縦変換ガイドレール
６    こまの回転台
７    こまの回転台の囲い板
８    吊り棒
９    高さ調節具
１０    紐
１１    下げ磁性体
１２    緩衝板
１３    球体の小車
１４    突起
１５    指
１６    板状の発車台
１７    入口板
１８    筒状の曲進横縦変換ガイドレール
１９    出口板
２０    台座D
２１    箱
２２    前面板
２３    こまの入口
２４    こまの出口
２５    筒状の曲進横縦変換ガイドレールBの入口
２６    筒状の曲進横縦変換ガイドレールBの出口
２７    筒状の曲進横縦変換ガイドレールB
２８    板状の発車台C
２９    こまの回転台
３０    上面台
３１    針金の発車台B
３２    針金の直進横縦変換ガイドレール
３３    方向変換当板
３４    こまの通路
３５    こまの回転台B
３６    指受クッション
３７    台座B
３８    針金の発車台C
３９    針金の曲進横縦変換ガイドレールB
４０    針金の曲進横縦変換ガイドレールBの出口
４１    台座C
４２    板状の発車台B
４３    入口板B
４４    筒状の曲進横縦変換ガイドレールC
４５    出口板B
４６    角を設けたこまの本体
４７    人形
４８    回転台の囲い板B
５１    こまの小車B
５２    出口板C
５３    こまの発車台B
５４    筒状の直進横縦変換ガイドレール
５５    こまの回転台C
５６    こまの心棒C
５７    入口板C
５８    基台
５９    突起C
６０    こまの心棒D
６１    玩具の車
６２    吊り具B
６３    高さ調節具B
６４    突起B
６５    台座E
６６    支柱
６７    こまの回転台D
６８    高さ調節具C
６９    紐B
７０    下げ磁性体B
７１    こまの発車台C
７２    曲進横縦変換ガイドレールC
７３    歯車付小車
７４    台座F
７５    小車ガイドボックス
７６    ラック
７７    心棒ガイド板
７８    押し出しレバー
７９    レバー前板
８０    軸
８１    バネ係着具
８２    天板
８３    バネ
８４    歯車付小車を設けたこま
８５    曲進横縦変換ガイドレールD
８６    押し出しレバー係止具
８７    係止軸
【図１】
0004065774.tif 000002
【図２】
0004065774.tif 000003
【図３】
0004065774.tif 000004
【図４】
0004065774.tif 000005
【図５】
0004065774.tif 000006
【図６】
0004065774.tif 000007
【図７】
0004065774.tif 000008
【図８】
0004065774.tif 000009
【図９】
0004065774.tif 000010
【図１０】
0004065774.tif 000011
【図１１】
0004065774.tif 000012
【図１２】
0004065774.tif 000013
【図１３】
0004065774.tif 000014
【図１４】
0004065774.tif 000015
【図１５】
0004065774.tif 000016
【図１６】
0004065774.tif 000017